(57)【要約】【課題】表示デバイスの種類が異なる表示パネルと受信装置とを任意に組み合わせることを可能にして、その生産性や使い勝手を向上させるための技術を提供する。【解決手段】放送情報を受信する受信装置２０と、受信した放送情報を表示する、液晶パネルもしくはＰＤＰもしくはＦＥＤのいずれかによって構成されている表示部１０と、受信部からの放送情報を含む電気信号を表示部へ伝送するためのケーブル４０とを備え、このケーブルは、受信装置のコネクタ２５に接続される端部に、ケーブル基板４１と、ケーブル基板上に取り付けられた複数の電極片４２と共に、接続された表示部の種類又は仕様に対応して、選択的に、接地電極部４４を介して、ワイヤ４５により接地電位に接続される付加電極部４３を備えており、その組み合せにより、受信装置２０側のマイコン２２が接続された前記表示部の種類又は仕様を判定する。【選択図】      図３
2007195042.tif 000002
【特許請求の範囲】
【請求項１】
放送情報を受信する受信部と、
前記受信部で受信した放送情報を表示する表示部と、
前記受信部からの放送情報を含む電気信号を前記表示部へ伝送するためのケーブルとを備えた放送受信装置であって、
前記受信部は、少なくともその一部にケーブルコネクタを備えた基板を有しており、一方、前記表示部の一部には前記ケーブルが電気的に接続されており、かつ、前記ケーブルは、複数の電気配線を束ねて形成されると共に、当該ケーブルの先端部に取り付けられた複数の接続部の一部が、前記接続された表示部の種類又は仕様に対応して、選択的に、特定の電位に接続されて構成されていることを特徴とする放送受信装置。
【請求項２】
前記請求項１の放送受信装置において、前記ケーブルの先端部に取り付けられた複数の接続部の一部が選択的に接続される特定の電位は、接地レベル又は電源レベルの一方であることを特徴とする放送受信装置。
【請求項３】
前記請求項１の放送受信装置において、前記受信部は、前記ケーブルの先端部に取り付けられた複数の接続部の一部が選択的に接続された特定の電位の組み合せにより、当該受信部に接続された前記表示部の種類又は仕様を判定する手段を備えたことを特徴とする放送受信装置。
【請求項４】
前記請求項３の放送受信装置において、前記判定手段は、前記表示部の種類又は仕様と前記ケーブルの先端部に取り付けられた複数の接続部の一部が選択的に接続される特定の電位の組み合わせに関するテーブルを予め記憶した記憶部を有するマイクロコンピュータによって構成されていることを特徴とする放送受信装置。
【請求項５】
前記請求項１の放送受信装置において、前記表示部は、液晶パネルもしくはＰＤＰもしくはＦＥＤのいずれかによって構成されていることを特徴とする放送受信装置。
【請求項６】
放送情報を受信する受信部からの放送情報を含む電気信号を表示部へ伝送するためのケーブルであって、その受信部側へ接続される一端部には、ケーブル基板と、当該ケーブル基板上に取り付けられた複数の電極片と、当該複数の電極片に接続された複数の束ねた電気配線とを備えており、前記複数の電極片の一部に、前記接続された表示部の種類又は仕様に対応して、選択的に、特定の電位に接続される付加電極部を構成したことを特徴とする放送受信装置用のケーブル。
【請求項７】
前記請求項６の放送受信装置用のケーブルにおいて、前記付加電極部は、少なくとも３以上設けられていることを特徴とする放送受信装置用のケーブル。
【請求項８】
前記請求項７の放送受信装置用のケーブルにおいて、前記複数の付加電極部が選択的に接続される特定の電位は、接地レベル又は電源レベルの一方であることを特徴とする放送受信装置用のケーブル。
【請求項９】
前記請求項８の放送受信装置用のケーブルにおいて、更に、電気的に接地レベルへ接続された接地電極部を備えており、接地レベルへ接続される前記付加電極部は、ワイヤによって当該接地電極部へ接続されることを特徴とする放送受信装置用のケーブル。
【請求項１０】
前記請求項６の放送受信装置用のケーブルにおいて、前記複数の接続部の一部は、前記複数の接続部において、一方の端部に、纏めて、設けられていることを特徴とする放送受信装置用のケーブル。
【発明の詳細な説明】
【技術分野】
【０００１】
本発明は、映像を表示する表示パネルと、放送信号を受信して所定の映像処理を行う受信装置とを互いに接続して使用するようにしてなる放送受信装置及びそれに用いられるコネクタの構造に関し、特に、表示デバイスの種類や仕様が異なる表示パネルに対し、信号処理部を含む受信装置を兼用して用いることを可能とした放送受信装置、及び、そのためのコネクタ構造に関する。
【背景技術】
【０００２】
現在、映像信号を含む放送受信装置（所謂、テレビション受信装置）における表示デバイスとして、従来のブラウン管（ＣＲＴ）に代わって、平面型の表示パネルが主流となっている。なお、かかる平面型の表示パネルとしては、主に、液晶パネル、プラズマディスプレイレイパネル(以下、ＰＤＰと略す)等を用いた平面型の表示パネルが用いられている。
【０００３】
一方、かかる平面型の表示パネルを採用した放送受信装置では、上述した平面型の表示パネルと、これとは別体に構成された、アナログ／デジタルテレビジョン信号等を受信するためのチューナ等を含む信号処理装置（以下、受信部又は受信装置）とから構成され、これらを互いに電気的に接続し、もって、表示システムを構成することが行われている。なお、このような表示システムについては、例えば下記特許文献１により、既に知られている。
【０００４】
【特許文献１】特開２００３−４３９８８号公報（図１７）
【発明の開示】
【発明が解決しようとする課題】
【０００５】
上述したような構成、即ち、表示部と受信部とを別体とした構成は、表示パネルの薄型化、更には、当該表示システムの設置場所に対する融通性や柔軟性を向上するとの観点からは、非常に有利である。しかしながら、上記の従来技術によって知られるの構造は、表示パネルとしてＰＤＰを用いたものであり、一方、これに接続される受信装置は、ＰＤＰ専用のものとなっている。このため、この受信装置を、液晶パネルを用いた表示パネルに接続して使用することはできない。すなわち、上記従来技術では、受信装置を、ＰＤＰにしか接続することが出来ず、これとは表示デバイスの種類が異なる、例えば、液晶パネルに対しても、この受信装置を兼用して用いる（即ち、受信装置にコンパチビリティを持たせる）ことについては、全く、考慮が為されていなかった。
【０００６】
なお、液晶パネルは、通常、バックライトを備えており、このバックライトの照度を映像信号１フレーム当たりの平均輝度を用いて制御することによって、そのコントラストを向上させる場合がある。また、液晶パネルとＰＤＰでは、色再現の範囲、発光(輝度)特性、及びガンマ特性等において、それぞれ異なっている。そのため、従来技術における受信装置では、その表示部として採用したそれぞれの表示パネルに対応して、その特性に応じた色補正処理、コントラスト補正処理、ガンマ補正等を行っている。そのため、ＰＤＰを用いた表示パネルに液晶専用の受信装置を用いても良好に動作させることは不可能であり、その逆もまた同様である。そのため、例えば、ユーザが表示パネルとして液晶パネルを採用した表示システムを、その受信装置を含めて購入し、その後、表示部のみを液晶パネルに代えてＰＤＰとしようとした場合にも、その受信装置は使用することが出来ず、そのため、ＰＤＰ表示パネルと共に、やはり、ＰＤＰ専用の受信装置をも含めて同時に購入、換言すれば、別の表示システムを新たに購入しなければならず、これでは、ユーザへの経済的負担が大きくなってしまうと言う問題点があった。
【０００７】
また、受信装置についても、標準ＮＴＳＣ信号等のアナログテレビジョン放送のみを受信するタイプ、アナログテレビジョン放送の他に、デジタルＢＳ／ＣＳ放送やデジタル地上波放送をも受信可能なタイプ、更には、アナログ／デジタルテレビジョン放送を受信可能であると共にテレビジョン放送を録画するためのハード・ディスク・ドライブやデジタルビデオプレーヤ/レコーダ（所謂ＤＶＤプレーヤ/レコーダ）を内蔵したタイプなどが存在する。このように、受信装置として様々なタイプがある場合にも、上記従来技術では、これら複数のタイプの受信装置からいずれか一つを、他方、上述した種類が異なる複数の表示パネルからいずれか一つと選択し、それらを任意に組み合わせて使用することは出来ない。従って、ユーザからすれば、表示システムとしての製品の選択幅が狭いことを意味する。
【０００８】
更に、表示パネルに用いる表示デバイスの種類が同一であっても、表示フォーマットが異なる（即ち、表示仕様が異なる）ものが存在する。例えば、ＰＤＰの場合、ワイドＸＧＡタイプの信号に対応する768(垂直ライン数)×1280(水平ドット数)のノンインターレースの表示フォーマットを持つもの、ハイビジョン放送に対応する1024×1024のインターレースの表示フォーマットを持つものなどがある。上述した従来の技術においては、例えば、表示フォーマットが768×1280のＰＤＰに対しては、最大でも768×1280の映像信号を出力することが出来る専用の受信装置が接続されて用いられる。しかしながら、この受信装置を、1024×1024のインターレースの表示フォーマットを持つＰＤＰに接続することは出来ず、また、仮に接続が可能であったとしても、良好な動作を得ることは出来ず、ましてや、1024×1024のインターレースの表示フォーマットを有効に利用した映像の表示を行うことはで不可能である。
【０００９】
従って、表示デバイスの種類、又は、その表示フォーマットが異なる表示パネルに対しても、受信装置を共通化し、これを、適宜、表示パネルに接続して使用することを可能にし、もって、表示システムとしての使い勝手を向上させることが望まれている。すなわち、受信装置と表示パネルにコンパチビリティを持たせ、もって、受信装置と表示パネルとの組合せに自由度を持たせ、もって、表示システムとしての製品の選択幅を広げることが重要である。
【００１０】
そこで、本発明では、上記のような課題に鑑みて為されたものであって、表示デバイスの種類が異なる表示パネルと受信装置とを任意に組み合わせることを可能にして、もって、その使い勝手を向上すると共に、その生産性をも向上するための技術を提供することをその目的とする。
【課題を解決するための手段】
【００１１】
上記の目的を達成するため、本発明によれば、まず、放送情報を受信する受信部と、前記受信部で受信した放送情報を表示する表示部と、前記受信部からの放送情報を含む電気信号を前記表示部へ伝送するためのケーブルとを備えた放送受信装置であって、前記受信部は、少なくともその一部にケーブルコネクタを備えた基板を有しており、一方、前記表示部の一部には前記ケーブルが電気的に接続されており、かつ、前記ケーブルは、複数の電気配線を束ねて形成されると共に、当該ケーブルの先端部に取り付けられた複数の接続部の一部が、前記接続された表示部の種類又は仕様に対応して、選択的に、特定の電位に接続されて構成されている放送受信装置が提供される。
【００１２】
また、本発明では、前記の放送受信装置において、前記ケーブルの先端部に取り付けられた複数の接続部の一部が選択的に接続される特定の電位は、接地レベル又は電源レベルの一方であることが好ましく、又は、前記受信部は、前記ケーブルの先端部に取り付けられた複数の接続部の一部が選択的に接続された特定の電位の組み合せにより、当該受信部に接続された前記表示部の種類又は仕様を判定する手段を備えていることが好ましい。更には、前記判定手段は、前記表示部の種類又は仕様と前記ケーブルの先端部に取り付けられた複数の接続部の一部が選択的に接続される特定の電位の組み合わせに関するテーブルを予め記憶した記憶部を有するマイクロコンピュータによって構成されていることが好ましい。そして、前記の放送受信装置において、前記表示部は、液晶パネルもしくはＰＤＰもしくはＦＥＤのいずれかによって構成されていることが好ましい。
【００１３】
加えて、本発明によれば、やはり上記の目的を達成するため、放送情報を受信する受信部からの放送情報を含む電気信号を表示部へ伝送するためのケーブルであって、その受信部側へ接続される一端部には、ケーブル基板と、当該ケーブル基板上に取り付けられた複数の電極片と、当該複数の電極片に接続された複数の束ねた電気配線とを備えており、前記複数の電極片の一部に、前記接続された表示部の種類又は仕様に対応して、選択的に、特定の電位に接続される付加電極部を構成した放送受信装置用のケーブルが提供される。
【００１４】
なお、本発明では、前記の放送受信装置用のケーブルにおいて、前記付加電極部は、少なくとも３以上設けられており、又は、前記複数の付加電極部が選択的に接続される特定の電位は、接地レベル又は電源レベルの一方であることが好ましく、その際、更に、電気的に接地レベルへ接続された接地電極部を備えており、接地レベルへ接続される前記付加電極部は、ワイヤによって当該接地電極部へ接続されることが好ましい。更には、前記複数の接続部の一部は、前記複数の接続部において、一方の端部に、纏めて、設けられていることが好ましい。
【発明の効果】
【００１５】
上記したように、本発明になる放送受信装置及び放送受信装置用のケーブルによれば、表示デバイスの種類が異なる表示パネルと受信装置とを任意に組み合わせることを可能にすることから、表示デバイスの種類、又は、その表示フォーマットが異なる表示パネルに対しても、受信装置を共通化し、これを、適宜、表示パネルに接続して使用することを可能にし、もって、表示システムとしての使い勝手を向上させることが可能となる。即ち、受信装置と表示パネルにコンパチビリティを持たせ、もって、受信装置と表示パネルとの組合せに自由度を持たせ、もって、表示システムとしての製品の選択幅を広げると言う、実用的に優れた効果を発揮する。
【発明を実施するための最良の形態】
【００１６】
以下、本発明の実施の形態について、添付の図面を用いながら詳細に説明する。
【００１７】
まず、添付の図１は、本発明の一実施の形態になる表示システムの全体構成を示す図である。この図において、受信装置（チューナ部、又は、コントロールボックス）２０は、テレビジョン放送信号を受信するためのチューナを含んでおり、標準ＮＴＳＣ信号等のアナログ地上波放送、アナログＢＳ放送信号、デジタルＢＳ／ＣＳ放送信号、デジタル地上波放送信号のいずれか一つ、またはそれらの任意の組合せ、もしくはそれら全ての放送信号を受信可能である。また、これらの放送信号を録画するためのハード・ディスク・ドライブ(ＨＤＤ)やデジタルビデオプレーヤ/レコーダ（所謂ＤＶＤプレーヤ/レコーダ）を内蔵するものであってもよい。この他、ビデオ信号、コンポーネント信号の入力およびその出力を持っていてもよい。
【００１８】
一方、表示パネル（表示部）１０は、液晶パネル、ＰＤＰもしくはＦＥＤ等で構成されており、それらの任意の一つが上記受信装置２０と接続可能である。尚、以下においては、表示パネル１１として液晶パネルもしくはＰＤＰのいずれかを用いるものとして説明する。また、図中の符号１２は、この表示パネル（表示部）１０を構成し、音声を出力するためのスピーカを示している。加えて、図中の符号３０は、上記受信装置２０の動作をユーザが制御するために用いる、所謂、リモコン（リモートコントローラ）である。
【００１９】
そして、上記受信装置２０と表示パネル（表示部）１０との間は、電気的接続のための手段であるケーブル４０を介して、電気的に接続されている。なお、このケーブル４０は、受信装置２０からのアナログもしくはデジタル形式の映像信号や音声信号を表示パネル１０に供給するためのビデオラインと音声ライン、及び受信装置２０から制御信号を表示パネル１０に送信するための通信ラインを含んでいる。
【００２０】
また、添付の図２は、上記受信装置２０の内部構成が示されている。この図からも明らかなように、受信装置２０は、その内部には、各種の基板等と共に、アンテナ５０で受信した放送信号から所望の放送信号を選択するためのチューナ回路２１や、当該チューナにより選択された放送信号を上記表示パネル１０を駆動するために必要な映像／音声信号に変換処理するため、その一部にマイコン（マイクロコンピュータ）２２などの処理装置を備えた信号処理回路２３をその表面に搭載した、所謂、主基板２４が搭載されている。そして、通常、この主基板２４の端部には、所定のコネクタ２５を介して、上記ケーブル４０が接続可能に構成されている。なお、この図では、上記表示パネル１０はその裏面により示されると共に、受信装置２０は、上記の主基板２４に加えて、更に、放送信号を録画するためのハード・ディスク・ドライブ(ＨＤＤ)２６が内部に搭載された例を示している。
【００２１】
次に、添付の図３には、上記に説明した受信装置２０と表示パネル（表示部）１０との間の電気的接続のための手段であるケーブル４０、特に、上記受信装置２０側に接続されるケーブルの端部の詳細構造が示されている。図からも明らかなように、このケーブル４０の受信装置側の端部には、外形略矩形状の絶縁性のケーブル基板４１を備えており、その一方の表面上には、その端面に沿って、複数の電極片（接続部）４２、４２…が配置されている。なお、これらの電極片４２、４２…は、上述したように、受信装置２０からのアナログもしくはデジタル形式の映像信号や音声信号を表示パネル１０に供給するためのビデオラインと音声ライン、及び、受信装置２０から制御信号を表示パネル１０に送信するための通信ラインに接続されている。そして、このケーブル基板４１の表面上には、上記の電極片４２、４２…に加えて、更に、複数（本例では、例えば、４本）の付加電極部４３、４３…が形成されており、また、これら電極部の両側には、接地電位へ接続するための一対の接地電極部４４、４４が設けられている。なお、上記受信装置２０側のコネクタ２５は、上述した電極部の構成に対応したものであることは言うまでもなかろう。
【００２２】
そして、かかるケーブル４０の電極構成において、これら複数の付加電極部４３、４３…は、その他端が接続されている上記表示パネル１０の種類又は仕様に対応して、選択的に、特定の電位に接続されている。より具体的には、これら４本の付加電極部４３、４３…は、表示パネルの種類又は仕様に対応して、選択的に、接地電位（具体的には、上記一対の電極部４４、４４の一方）へ、例えば、ワイヤ（絶縁被覆）４５、４５などによって接続されている。即ち、これら４本の付加電極部４３、４３…の各々は、予め接地電位に接続されることにより、ロー（Ｌｏｗ：Ｌ）レベルとなり、他方、接地電位に接続されない場合には、例えば、電源電位などの所定のハイ（Ｈｉｇｈ：Ｈ）レベルとなる。なお、以下の表１には、上記４本の付加電極部４３、４３…によって、複数の種類又は仕様の表示パネル１０に対応した一例が示されている。
【００２３】
【表１】
2007195042.tif 000003
【００２４】
続いて、上記に詳細な構造を説明したケーブル４０を用いることにより受信装置２０と表示パネル（表示部）１０との間の電気的接続を行なった場合の表示システムの動作について、添付の図４を参照しながら説明する。
【００２５】
図にも示すように、上記ケーブル４０を受信装置２０側のコネクタ２５に接続すると、このケーブル４０を構成する電極部、特に、その４本の付加電極部４３、４３…も、上記のコネクタ２５を介して当該受信装置側に接続される。そこで、上記の主基板２４に搭載した信号処理回路２３を構成するマイコン２２により、これら４本の付加電極部４３、４３…が、それぞれ、「Ｈ」又は「Ｌ」の何れかのレベルに選択的に接続されているかを検出する。そして、当該マイコン２２は、図示しないが、例えば、その記憶装置（メモリ）内に予め記憶された上記表１に示した内容に対応したテーブルを参照することにより、当該受信装置２０に接続される表示パネル１０の種類又は仕様を確実に把握することが出来る。即ち、これにより、当該受信装置２０は、接続された表示パネル１０の種類又は仕様に応じて、必要な形式の映像信号や制御信号を、上記ケーブル４０の通信ラインを介して、表示パネル１０へ供給することが出来る。
【００２６】
このように、以上に詳述した本発明になる表示システムによれば、表示デバイスの種類が異なる表示パネルと受信装置とを任意に組み合わせることを可能にすることから、表示デバイスの種類、又は、その表示フォーマットが異なる表示パネルに対しても、受信装置を共通化し、これを、適宜、表示パネルに接続して使用することを可能にし、もって、表示システムとしての使い勝手を向上させることが可能となる。すなわち、受信装置と表示パネルにコンパチビリティを持たせ、もって、受信装置と表示パネルとの組合せに自由度を持たせ、もって、表示システムとしての製品の選択幅を広げることが可能となる。即ち、接続ケーブル４０自体に、様々な機種（ＰＤＰ、ＬＣＤ、画面サイズの違い、メーカの違い）に対応した判別ビット（ＳＥＬ３〜ＳＥＬ０）を決定しておき、当該ケーブルを接続するだけで、機種毎の煩わしい主基板２４の変更や手直し等を必要とせず、人手を掛けずに製品製造を可能にし、もって、受信装置２０に含まれる信号処理用の基板２４を製造する側の負担や労力を軽減することが可能となる。
【００２７】
なお、以上に述べた実施の形態の例では、上記ケーブル４０を構成する付加電極部４３、４３…をワイヤ４５、４５などによって接地電位へ接続する作業を容易にするため、これら付加電極部４３、４３…が複数の電極部４２、４２…の一方の端に、纏めて配置された例を示したが、本発明はこれにのみ限定されることなく、例えば、これらの付加電極部４３、４３…を、適宜、上記複数の電極部４２、４２…の間に配置することも可能である。
【００２８】
また、上記の例では、受信装置２０と表示パネル（表示部）１０との間の電気的接続を行なうケーブル４０の一例として、その受信装置２０側の端部に設けられ、複数の種類又は仕様の表示パネル１０に対応するために電極部として、４本の付加電極部４３、４３…についてのみ説明したが、本発明では、これにのみ限定されることなく、上記受信装置２０に接続することが可能な（装置が対応可能な）種類又は仕様の異なる表示パネル１０の数に応じ、適宜、選択することが可能である。即ち、この付加電極部４３、４３…を「Ｎ」とすると、ｎ＝２Ｎ種類又は仕様の異なる表示パネル１０に対応することが可能となる。なお、この「Ｎ」は、好ましくは、４又はそれ以上であることが好ましい。
【００２９】
なお、上述のように、本発明になる表示システムでは、上記ケーブル４０を構成するケーブル基板４１の上に形成した電極片４２、４２…の一部の付加電極部４３、４３…だけを、ワイヤ４５、４５などによって接続することによって受信装置と表示パネルとの各種の組合せに対応することが出来るため、実機でも、簡単に採用することが出来る。
【図面の簡単な説明】
【００３０】
【図１】本発明の一実施の形態になる放送受信装置の全体構成を示す斜視図である。
【図２】上記放送受信装置のより詳細な回路構成を示したブロック図である。
【図３】上記放送受信装置の受信装置側のコネクタに接続されるケーブルの詳細構造を示すための一部拡大斜視図である。
【図４】上記ケーブルの接続による放送受信装置内部の動作を説明するための説明図である。
【符号の説明】
【００３１】
１０…表示パネル（表示部）
１１…表示パネル
１２…スピーカ
２０…受信装置
２１…チューナ回路
２２…マイコン（マイクロコンピュータ）
２３…信号処理回路
２４…主基板
２５…コネクタ
３０…リモコン（リモートコントローラ）
４０…ケーブル
４１…ケーブル基板
４２…電極片（接続部）
４３…付加電極部
４４…接地電極部
４５…ワイヤ
５０…アンテナ。
【図１】
2007195042.tif 000004
【図２】
2007195042.tif 000005
【図３】
2007195042.tif 000006
【図４】
2007195042.tif 000007
【手続補正書】
【提出日】平成18年7月3日(2006.7.3)
【手続補正１】
【補正対象書類名】図面
【補正対象項目名】全図
【補正方法】変更
【補正の内容】
【図１】
2007195042.tif 000008
【図２】
2007195042.tif 000009
【図３】
2007195042.tif 000010
【図４】
2007195042.tif 000011